(57)【要約】      （修正有）【課題】部品点数を増大させることなく錘を係止できる畜産動物用ベルトを提供する。【解決手段】畜産動物の首に取り付ける畜産動物用ベルトの錘１は、錘本体の上部に形成された鍔１１と、錘本体と鍔の間に形成された、畜産動物用ベルトを通す二つの孔１２ａ、１２ｄと、鍔かつ二つの孔の周縁に形成された係止部１３ａ、１３ｄと、を有する。係止部は、孔の周縁に設けられた鋸歯状の爪１４である。【選択図】図４
0003232685.tif 000002
【実用新案登録請求の範囲】
【請求項１】
畜産動物の首に取り付ける畜産動物用ベルトの錘であって、
錘本体の上部に形成された鍔と、
前記錘本体と前記鍔との間に形成された、前記畜産動物用ベルトを通す二つの孔と、
前記鍔かつ前記二つの孔の周縁に形成された係止部と、
を有することを特徴とする畜産動物用ベルトの錘。
【請求項２】
前記係止部は、前記鍔かつ前記二つの孔の周縁に形成された鋸歯状の爪である、
ことを特徴とする請求項１に記載の畜産動物用ベルトの錘。
【請求項３】
前記二つの孔は、当該二つの孔に通された前記畜産動物用ベルトを前記錘本体の内側に規制する方向に形成されている、
ことを特徴とする請求項１に記載の畜産動物用ベルトの錘。
【請求項４】
前記錘本体の幅は、前記畜産動物用ベルトの幅と略同一である、
ことを特徴とする請求項１に記載の畜産動物用ベルトの錘。
【請求項５】
前記錘本体の下面に、凹凸状の突起が形成されている、
ことを特徴とする請求項１に記載の畜産動物用ベルトの錘。
【考案の詳細な説明】
【技術分野】
【０００１】
本考案は、畜産動物用ベルトの錘に関する。
【背景技術】
【０００２】
従来、牛などの畜産動物の生体情報を得るため、畜産動物の首にセンサ筐体を取り付ける畜産動物用ベルトが知られている（例えば特許文献１，２）。このような畜産動物用ベルトでは、取得した生体情報の送信効率を向上させるため、例えば畜産動物の首の横または上方にセンサを固定することが望ましい。
この際、センサの自重によってベルトが周方向に回転して、センサが下方に移動することがないように、この畜産動物用ベルトには、金属製の錘が設けられている。
【先行技術文献】
【特許文献】
【０００３】
【特許文献１】特開２０２０−２５５２２号
【特許文献２】実用新案登録第３２２５９８３号
【考案の概要】
【考案が解決しようとする課題】
【０００４】
このような畜産動物用ベルトの錘は、密度の高い金属製とすることが好ましい。しかしながら、金属製の錘は、日光が照射されると温度が上昇してしまう。このため、畜産動物や作業者が、錘に直接に接触しないようにする必要がある。さらに金属製の錘は、鉄柵などに接触すると衝突音を発生させる。これらの対策として、ゴム被覆などを用いて錘の周囲を覆うことが考えられる。このような場合、ゴム被膜は別部品となり、製造コストが上昇してしまう。
【０００５】
さらに、錘をベルトに係止するために、ストッパやバックルなどの別部品を用いると、部品点数が増大し、製造コストが上昇してしまう。
【０００６】
この考案は、部品点数を増大させることなく錘をベルトに係止することを課題とする。
【課題を解決するための手段】
【０００７】
本考案の畜産動物用ベルトの錘は、畜産動物の首に取り付ける畜産動物用ベルトの錘である。錘は、錘本体の上部に形成された鍔と、錘本体と鍔との間に形成された、畜産動物用ベルトを通す二つの孔と、鍔かつ二つの孔の周縁に形成された係止部と、を有することを特徴としている。
【考案の効果】
【０００８】
本考案の畜産動物用ベルトの錘によれば、部品点数を増大させることなくベルトに係止できる。
【図面の簡単な説明】
【０００９】
【図１】本考案の実施形態の畜産動物用ベルトにセンサ筐体と錘が装着され、例えば牛の首に通された状態を説明する斜視図である。
【図２】本実施形態の畜産動物用ベルトの錘の側面図である。
【図３】畜産動物用ベルトの錘の正面図である。
【図４】畜産動物用ベルトの錘の上面図である。
【図５Ａ】錘の孔に畜産動物用ベルトを通す様子を示すＶ−Ｖ線断面図である。
【図５Ｂ】実施形態の畜産動物用ベルトを錘に通して牛の首に掛けたときの状態を示すＶ−Ｖ線断面図である。
【図６】ベルトを錘に通した様子を示す正面図である。
【図７】錘本体の下面の突起の構成を示す斜視図である。
【考案を実施するための形態】
【００１０】
以下、本考案の一実施形態について、適宜図面を参照しながら説明する。同一の構成要素には同一の符号を付し、重複する説明を省略する。
【００１１】
まず、本実施形態の畜産動物用ベルト２の錘１の構成について説明する。
図１に示すように、本実施形態の畜産動物用ベルト２は、帯状であり、例えば不図示のバックル等で係止されて環状となり、牛等の畜産動物３の首５に通される首輪として機能する。センサ筐体６および、錘１は、は、この畜産動物用ベルト２に通されて畜産動物３の首５に取り付けられる。
センサ筐体６は、首５に通された畜産動物用ベルト２のうち、首５の側方となるように固定されている。センサ筐体６は、ＧＰＳ（Global Positioning System）による畜産動物３の位置情報取得機能と、ＬＰＷＡ（Low Power Wide Area）によるによる位置及びセンサ情報の送信機能を備えたセンサ本体（図示せず）を内部に格納する略箱型の筐体である。センサ筐体６が首５の下側に位置すると、センサによる位置情報の取得効率が落ちたり、送信効率が落ちることがわかっており、例えば畜産動物３の首５の横などの所定の位置に留まるようにする必要がある。
【００１２】
センサ筐体６が畜産動物３の首５の横に留まるようにするために、畜産動物用ベルト２には、錘１が取り付けられている。錘１は、自重により鉛直方向へ引っ張る力が発生し、畜産動物用ベルト２の周方向ｃへの回転を抑制する。これにより、センサ筐体６が係止されている位置は、首５の側方で安定する。このため、センサ筐体６に格納されたセンサ本体は、位置情報を効率よく取得し、取得した生体情報を効率的に送信できる。
【００１３】
図２に錘１の側面図を示し、図３に錘１の正面図を示す。
錘１は、金属材料で構成されており、所定の重量を有している。錘１は、錘本体１０と鍔１１とが一体となって構成される。
このうち、錘本体１０は、下方に向かうにつれて幅が狭くなる略台形の側面１０ａとその反対額の側面１０ｄ、および、下方に向かうにつれて幅狭となる略台形の正面１０ｂとその反対側の背面１０ｅによって周面が形成されている。そして、錘本体１０の下面１０ｃには、凹凸状の突起１６が形成されている。
また、鍔１１は、錘本体１０の上部に形成されている。錘本体１０の側面１０ａと鍔１１との間、および、側面１０ｄと鍔１１との間には、左右一対の二つの孔１２ａ，１２ｄが形成されている。後記する図５Ａや図５Ｂに示すように、これら二つの孔１２ａ，１２ｄは、畜産動物用ベルト２を通すためのものである。
【００１４】
さらに、図４に示すように、鍔１１かつ二つの孔１２ａ，１２ｄの周縁には、畜産動物用ベルト２を係止する係止部１３ａ，１３ｄが形成されている。係止部１３ａ，１３ｄは、複数の鋸歯状の爪１４を含んで構成される。この係止部１３ａ，１３ｄは、畜産動物用ベルト２が錘１を吊り下げたときに鍔１１を付勢する方向に設けられている。図５Ｂに示すように、孔１２ａ，１２ｄに畜産動物用ベルト２が通されて錘１を吊り下げると、畜産動物用ベルト２は鍔１１側に付勢され、付勢された方向の係止部１３ａ、１３ｄによって係止される。このため、錘１は、自重で畜産動物用ベルト２に爪１４を食い込ませることができ、畜産動物用ベルト２への係止をより強固なものとすることができる。なお、係止部１３ａ、１３ｄは、鋸歯状の爪１４に限られず、三角錐や四角錐などで構成されてもよく、限定されない。
また、図５Ａと図５Ｂに示すように、二つの孔１２ａ，１２ｄは、側面１０ａ，１０ｄの上側横方向に開口し、かつ鍔１１の上面に上方向に開口している。つまり、二つの孔１２ａ，１２ｄは、これらに通された畜産動物用ベルト２を内側に向けて規制する方向に形成されている。畜産動物用ベルト２に錘１を吊り下げたとき、孔１２ａ，１２ｂは、畜産動物用ベルト２を更に内側に向けて規制するので、畜産動物用ベルト２に爪１４が更に食い込んで、係止をより強固なものとする。
【００１５】
そして、図６に示すように、錘本体１０の側面１０ａ，１０ｄは、下方に向かうにつれて幅狭となる略台形に形成されている。錘本体１０の幅寸法Ｗ１は、畜産動物用ベルト２の幅寸法Ｗ２と略同一である。
本実施形態では、錘本体１０は、その下端の位置の幅寸法Ｗ１が畜産動物用ベルト２の幅寸法Ｗ２と略同一（Ｗ１≒Ｗ２）であるように構成されている。例えば畜産動物用ベルト２の幅寸法Ｗ２は、錘本体１０の下端の幅寸法Ｗ１に対して１００％から９０％である。錘本体１０の側面１０ａ，１０ｄは、畜産動物用ベルト２によって覆われる。これにより、日光による温度上昇の影響を少なくし、かつ畜産動物３あるいは作業者が、錘に直接に接触しないように保護できる。更に鉄柵などへのぶつかりを軽減することができる。よって、ゴム被覆などの別部材を用いて錘本体１０の周囲を覆う必要がなくなる。
【００１６】
また、図２や図３に示すように、錘本体１０の下面１０ｃには、凹凸状の突起１６が形成されている。
本実施形態の突起１６は、図７に示すように、平坦な下面１０ｃに位置している。そして、各突起１６は、下方に向いた四角推状に形成されており、マス目状に複数個並べられている。これにより、各突起１６は、この錘１に畜産動物用ベルト２が接触している状態で、前後左右方向への滑りを抑止する。したがって、畜産動物用ベルト２の長手方向だけでなく幅方向にも滑りにくくなる。畜産動物用ベルト２の長手方向に滑りにくくすることにより、係止をより強固なものとする。畜産動物用ベルト２の幅方向に滑りにくくすることにより、さらに安定した状態で錘１の側面１０ａ，１０ｄを覆うことが可能である。
【００１７】
上述してきたように、本実施形態の錘１は、部品点数を増大させることなく畜産動物用ベルト２に係止できる。
詳しくは、図１に示すように、畜産動物３の首５に取り付けられる畜産動物用ベルト２には、錘１が装着される。錘１は、錘本体１０と、錘本体１０の上部に形成された鍔１１と、錘本体１０と鍔１１との間に形成された、畜産動物用ベルト２を通す二つの孔１２ａ，１２ｄと、鍔１１かつ二つの孔１２ａ，１２ｄの周縁に形成された係止部１３ａ，１３ｄとを有する。
【００１８】
このように構成された錘１に、畜産動物用ベルト２を通す方法を図５Ａに示す。二つの孔１２ａ，１２ｄの一方に畜産動物用ベルト２を通し、畜産動物用ベルト２の一部をループ状に突出させて錘本体１０の周囲に廻して掛けたのち、二つの孔１２ａ，１２ｄの他方に通す。
この際、畜産動物用ベルト２に装着された錘１と畜産動物用ベルト２に装着されたセンサ筐体６との間隔を調整するとよい。
【００１９】
錘１は、金属材料製で鋳造されていて所定の重量を有している。このため、牛の首５などに畜産動物用ベルト２が取り付けられた際、畜産動物用ベルト２に係止された錘１は、自重で垂れ下がる。畜産動物用ベルト２は、錘本体１０の側面１０ａと下面１０ｃと側面１０ｄに当接しながら、図５Ｂに示すように孔１２の周縁に形成された係止部１３の鋸歯状の爪１４に係止される。これにより、錘１は、畜産動物用ベルト２の所望の位置に係止されて首５の下方に吊り下げられる。
【００２０】
このように、錘１は、係止具等の別部品を用いることなく、畜産動物用ベルト２に位置ずれ移動しないように係止される。このため、図１中に示すように、錘１を首５の下方に吊り下げて、錘１の自重により畜産動物用ベルト２が周方向Ｃへ移動しないように抑制できる。これにより、畜産動物用ベルト２に装着されたセンサ筐体６は、下方に移動することなく首５の側方に安定して配置される。したがって、位置情報の取得効率と、センサ情報の送信効率を向上させることができる。
【００２１】
上述してきたように、本願考案の実施形態の錘１は、部品点数を増大させることなく、錘本体１０の自重で、畜産動物用ベルト２に係止できる。
【００２２】
本考案は上述した実施形態に限定されるものではなく、種々の変形が可能である。上述した実施形態は本考案を理解しやすく説明するために例示したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について削除し、若しくは他の構成の追加・置換をすることが可能である。上記実施形態に対して可能な変形は、たとえば、以下のようなものである。
【００２３】
本実施形態のセンサ筐体６は、首５の側方に配置されているが、特にこれに限らない。すなわち、取得した生体情報の送信効率を向上させることができる高さ位置であれば、首５の真上や側面のうち、上側傾斜部分等、首５の下方を除く外側面の何れの位置に配置されていてもよい。
【００２４】
また、錘本体１０の形状も、四角推台に限らず、例えば、直方体、立方体、円柱体、円錐台等、どのような形状であっても、係止部１３を有する孔１２ａ，１２ｄに畜産動物用ベルト２が挿通されるものであればよい。すなわち、錘１の形状および材質は、特に本実施形態に限定されるものではない。
二つの孔１２ａ，１２ｄは、側面１０ａ，１０ｄの上側横方向に開口し、かつ鍔１１の上面に上方向に開口している。しかし、これに限られず、二つの孔１２ａ，１２ｄは、側面１０ａ，１０ｄの上側斜め上方向に開口していてもよい。
【符号の説明】
【００２５】
１      錘
２      畜産動物用ベルト
３      畜産動物
５      首
１０    錘本体
１１    鍔
１２ａ，１２ｂ  孔
１３ａ，１３ｂ  係止部
１６    突起
【図１】
0003232685.tif 000003
【図２】
0003232685.tif 000004
【図３】
0003232685.tif 000005
【図４】
0003232685.tif 000006
【図５Ａ】
0003232685.tif 000007
【図５Ｂ】
0003232685.tif 000008
【図６】
0003232685.tif 000009
【図７】
0003232685.tif 000010